(57)【要約】【目的】大掛かりな装置でなく、現場で両手のみで組立て取外しができ、ボールやパックが強接した時の衝突圧を和らげて衝突音が低く、身体障害者が当接したら容易に連結部が外れ、しかも、コストの安い室内スポーツ競技用簡易バウンダリーボードとしたい。【構成】全体の材質を半硬質材とし、その高さが１０〜２０ｃｍ程度で、連結部２以外が直方体で長方形体であるストレートボード１としたもの必要本数を、長さ方向へ連結部２にて密着連結させ、４ヶ所のコーナーボード３と組み合わせ、全体として競技用コートの全外周の床面上に道具なしで組立てる室内スポーツ競技用簡易バウンダリーボードである。【選択図】図４
2010162316.tif 000002
【特許請求の範囲】
【請求項１】
ボール若しくはパックをステックなどで打合うフロアースポーツに際して使用するもので、半硬質材にてなる高さが１０〜２０センチ程度で、かつ、連結部（２）以外が直方体で全体を長方形体であるストレートボード（１）としたものを、その必要本数を長さ方向へ上記連結部（２）にて密着連結させると共に、コーナーボード（３）と組み合わせて、全体として競技用コートの全外周の床面上に、組立て用道具を用いることなく組立及び取外のできる室内スポーツ競技用簡易バウンダリーボード。
【請求項２】
半硬質材が、半硬質合成ゴム又は半硬質合成樹脂である請求項１記載の室内スポーツ競技用簡易バウンダリーボード。
【請求項３】
半硬質材が、高密度発泡合成樹脂である請求項１記載の室内スポーツ競技用簡易バウンダリーボード。
【請求項４】
高密度発泡合成樹脂が、ＥＶＡ樹脂である請求項３記載の室内スポーツ競技用簡易バウンダリーボード。
【請求項５】
高密度発泡合成樹脂が、ウレタン系樹脂である請求項３記載の室内スポーツ競技用簡易バウンダリーボード。
【請求項６】
コーナーボード（３）を、ストレートボード（１）と同じ高さと幅にして、全体として一方向に湾曲した請求項１乃至請求項５のいずれかに記載の室内スポーツ競技用簡易バウンダリーボード。
【請求項７】
コーナーボード（３）を、ストレートボード（１）と同じ高さとして、幅はコートの外周側が直角状に突出し、コートの内周側はコートの内周方向に湾曲した請求項１乃至請求項５のいずれかに記載の室内スポーツ競技用簡易バウンダリーボード。
【請求項８】
連結部（２）を、ストレートボード（１）及びコーナーボード（３）の一端を凸形に、他端を凹形とした請求項１乃至請求項７のいずれかに記載の室内スポーツ競技用簡易バウンダリーボード。
【請求項９】
ストレートボード（１）及びコーナーボード（３）を、その長さ方向に渡って上下を、それぞれ半分に色彩分けした請求項１乃至請求項８のいずれかに記載の室内スポーツ競技用簡易バウンダリーボード。
【発明の詳細な説明】
【技術分野】
【０００１】  この発明は、フロアーホッケーに代表されるボールやパックを打撃する室内スポーツ競技場におけるコートの周囲に組立て用いる比較的低い高さの防護壁であり、バウンダリー（境界線）ボード（盤）と称すものである。
【背景技術】
【０００２】  ボールやパックをステックなどで打合う室内スポーツ競技は、時として、ボールやパック自体がコートを飛び出し、参観者などに当たる危険があるし、また、室内の壁を直撃破損させるなどの損害が生じていた。そこで、例えば、フロアーホッケーの公式ルールにおいては、コートの周囲に高さが１１０〜１２０ｃｍの防護壁を設置することを必要としている。
したがって、組立てや取外しの際には、大きく重い壁板の運搬が大変であり、現場へ組立て用の諸道具を持参して行かねばならなかった。【０００３】  近年、「ニュースポーツ」と称し、パックかパックに似たようなものを打撃する高齢者向きの様々な室内スポーツが生み出され行われるようになった。
また、知的障害者などの体育向上策として、スペシャルオリンピックの室内スポーツ競技に、その一つとして、例えばフロアーホッケーが盛んとなりつつある。【０００４】  このフロアーホッケーは、厚さ２．５ｃｍ、直径２０ｃｍの中央に、ステックの先端を差込むための１０ｃｍの透孔のある重さが１４０〜２２５ｇの硬質ゴム製パックを用い、ステックで奪い合い相手のゲートへ打ち込み得点を得る競技である。
ところが、上記の国際規格のフェンスでは、装置として大掛かりなことから、その組立てや取外しに手間が掛かるし、フェンスそのものの価格が非常に高価で普及し難い。【０００５】  そこで、日頃の練習にも、手ごろな値段で、しかも組立てや取外しが容易なものはないかと先願を調べてみたところ、例えば、室内競技場の周囲に、遮板として長方形板を何枚も連結したもので、連結手段は遮板の上下の縁に円筒体を平行に設け、その上下の円筒体のそれぞれの一端が、次の遮版の円筒体の他端にある穴に差し込んで繋げ行く構成の、考案の名称「室内競技用フェンス」というものがある。（例えば、特許文献１参照。）。【０００６】  また、上記と同じようなものだが、遮板の連結手段に違いがあり、円筒体を用いずに、遮板としては単なる長方形板と、長方形板にＬ形の脚の付いたものとの両板を、間隙を設けて背合わせして一組とし、その一組と他の一組との間に単なる長方形板である遮板の左右両辺部を、上記の間隙内に上から落とし入れて全体を連結形成する考案の名称「室内競技用フェンス」というものがある。（例えば、特許文献２参照。）。【０００７】  上記の先願２例は、いずれも外観上において大凡似たものであり、ただ後者には倒壊防止のためか、床面との摩擦増加を図るためか、Ｌ形の脚が外側に向けて設けられている。
なお、両者共に寸法の記載がないので、フェンスの大きさや高さは不明だが、出願当時を考えると高い板壁状のものと推察できる。
【特許文献１】実開昭６０−１４７４７２号公報（１頁、第１図）
【特許文献２】実開平０２−００８４７９号公報（１頁、第１図）
【発明の開示】
【発明が解決しようとする課題】
【０００８】  上述の特許文献１は、コートの周囲の４つの角に、直角の鉤形のコーナー部材があり、その間を長方形の遮板で連結したものだが、それぞれの遮板同士の間には隙間を設けているので、小さなボールやパックが挟まったり、飛び出したりする虞が多分にある。【０００９】  特許文献２は、特許文献１の改良といえるものではあるが、大きな違いはなく両者共に材質の記載のない遮板として薄い板体を採用しているから、ボールやパックが強く当たると割れる虞があるし、割れないとしても衝突音が大きいと思われる上、ボールやパックの跳ね返り力が大きいものと考えられる。
また、遮板自体が大きなものと思われるから、組立てに道具を必要となる上、手間が掛かりそうであるし、第一、コスト高とならざるを得ない大きな欠点があった。【００１０】  したがって、たとえ公式ルールに適合せずとも、練習用として簡単に設置し得るよう小形で、手軽に道具なしで組立てと取外しができるボードを提供したい。
しかも、小形なボードであっても、ボールやパックが強く当たった場合でも床面からはずれ動かず、破損せず、加えて衝撃を緩和させ衝突音が高音になり難いものとしたい。【００１１】  更に、高齢者や知的障害者などが、誤ってボードに当接しても、身体を痛めぬような柔らか味のある材質を採用したい。そして、強く当接した場合は、ボードの連結部分が外れるなり、ずれるなりして衝突の衝撃を緩和するような連結手段を採用したいものである。【００１２】  以上詳記したように、この発明の目的は、大掛かりな装置とはならずに、日頃の練習に用いられるよう広く普及すべく、コストの安いバウンダリーボードとしたいのである。
【課題を解決するための手段】
【００１３】  この発明の構成を、後出の各図面に基づき説明するが、これらの図面においては形を異にしていても機能上同一のものは、同一の符号として示した。また、引き出し線は、同一符号を付すべき全箇所に設けているとは限らなく、幾つかを代表的に選択した。【００１４】  図１及び図３、そして組立てた後の状態である図４に示すように、全体の材質を半硬質材とし、その高さが１０〜２０ｃｍ程度で、かつ、連結部２以外が直方体で全体的に長方形体のストレートボード１としたものを、その必要本数を長さ方向へ連結部２にて密着連結させると共に、コーナーボード３と組み合わせて、全体として競技用コートの全外周の床面上に組立てる室内スポーツ競技用簡易バウンダリーボードとした。【００１５】  なお、上記における半硬質材としては、公知の色々な素材を混合したり、適当な可塑剤や充填剤を加えたりして硬さや重さを調整し、例えば、金型を用いプレス成形して作る半硬質の合成ゴムがある。また、プレス加工法と称するプレス機と抜型を用いて原材料を指定の形状にする加工法もあるが、この抜型は金型よりも格安に製造できる利点がある。【００１６】  比較的汎用的なものとしては、耐熱性には弱いが、機械的強度や耐摩耗性が他のゴムより格段に優れ、硬さの割合に弾性があって、硬度が９５〜４５°である注型タイプのエーテル系ウレタンゴムやエステル系ウレタンゴムなどのウレタン系の半硬質合成ゴムがある。これも金型を用いず、液状の材料を原型に流し込む注型加工と称する方法である。【００１７】  一般に合成樹脂における半硬質材とは、曲げ弾性率が７，０００ｋｇ／ｃｍ２以上を硬質といい、７００ｋｇ／ｃｍ２以下を軟質といって、中間を半硬質と称するが、ポリエチレン、四フッ化エチレンなどや、他の適当なポリマーの混合組合せなど、架橋剤や充填剤を混入させて、好ましい硬さと重さを得るようにできる様々な半硬質の合成樹脂が市販されている。【００１８】  また、素材自身の硬さや重さではなく、素材に発泡剤を混入させて、小さな気泡を生じさせ、その発泡倍率で硬さが調整できる合成樹脂がある。かといって、ゴムスポンジとか魚市場で目にする発泡スチロール製の魚箱のような、発泡度の粗い軽いものではなく、完成した製品の重量感や手触り感が良いものが必要である。【００１９】  そこで、このようなものとしては、エチレン・酢酸ビニル共重合体であるＥＶＡや、ポリスチレン、ウレタン系樹脂のような発泡合成樹脂がある。いずれも、発泡剤を混入させて成形するが、発泡度合が高密度で、連続性のない独立した非常に微細な気泡が、むらなく分散した所謂高密度発泡合成樹脂であることが望ましい。【００２０】  ただし、工業生産時に、一般的には規格の倍率で発泡された素材を用いて、それを、熱圧縮して希望の微細な倍率に仕上げる熱圧縮加工法を用いることになり、圧縮用の金型費用が必要となるから大量生産に向いている。
勿論、少量生産には前述の抜型を用いた加工法を採用できる原料を選択すればよいのであって、この発明の半硬質材は、それら素材や原料の採用種名や、採用加工方法によって限定されるものではない。【００２１】  次に、連結部２は、図１〜図３に示すように、ストレートボード１及びコーナーボード３の一端を凸形に、他端を凹形とし、しかも、凹凸を直方体形のように単純な直角形にした。それも、加工手数を減ずる意味もあってストレートボード１及びコーナーボード３の全高に渡って形成させたものとした。【００２２】  勿論、慣用手段である図５に示すような菱形にすれば結合度は増すが、逆に折損しやすくなり、逆に外れやすくするには三角形・半円形にすればよい。
これら凹凸の形状は、ストレートボード１やコーナーボード３を形成する半硬質材の素材や、発泡密度の度合いで硬度や重量が異なるからそれに応じて決めればよいのである。【００２３】  図３に示したコーナーボード３は、幅をストレートボード１と同じとして、全体として一方向に湾曲したものであるが、図６に示すような内側のみを湾曲させ、外側を広く直角状に突出させてもよい。勿論、図示を省略したが、従来のフェンスのように、内側も直角状にしてもよいことは云うでもない。【００２４】  なお、図２に示すように、ストレートボード１を、その長さ方向に渡って全長の上下を半分ずつ互いにそれぞれ異なる色彩分けしたものとするもよい。図示を省略したが、コーナーボード３も同様である。
【発明の効果】
【００２５】  この発明の室内スポーツ競技用簡易バウンダリーボードは、全体の材質を前述のような半硬質材としたから、ボールやパックが強く衝突しても、ボード自体に重量があるゆえ床面をずれ動くことはなく、また、適当な表面硬度と共に弾性を有しているから、衝突時の衝撃力を緩和して衝突音を小さくすることができる。【００２６】  加えて、ストレートボード１が、直方体として床面に対し側面が垂直になるから、その高さが１０〜２０ｃｍ程度と低くても、ボールやパックの衝突による衝撃力を緩和する効果と相俟って、ボールやパックは当接した時の反射角で戻り行き、上方へ跳ね上がってボードの外側へ飛び出す虞はあまりないのである。
勿論、コーナーボード３も、内側面が垂直だから同様の効果がある。それ故、従来の背の高いフェンスと比べると、安価にできて大きなコスト安効果を生ずるのである。【００２７】  また、連結部２の方向さえ同一に向ければ、ストレートボード１が同一大だから、組立て時に配置を考える必要がないし、連結部２を両手で持上げて相手の連結部２へ落とし込むだけで連結されるから、組立て道具は一切不要である。しかも、連結した両側面は密着するから、隙間がなくボールやパックが挟まれたり通過したりする心配がない。【００２８】  更に、ストレートボード１とコーナーボード３の長さ方向に渡って、上下をそれぞれ半分に色彩分けすれば、ストレートボード１の形状が全て同じだから、例えば交互に上下を反転させて連結させてゆくことにより、全体として色彩が交互に変わった配置となって、意匠的にも面白くすることが出来、適当箇所の上下の向きを変えることによって、競技会場の雰囲気に変化を与えることができる。【００２９】  組立ての際も、組立て用の道具を一切用いることなく、組立てと取外しができるようになったし、従来の大掛かりなフェンスよりも大幅にコストを下げ得て、普及しやすい便利な室内スポーツ競技用簡易バウンダリーボードとなった。
【発明を実施するための最良の形態】
【００３０】  この発明の最良の形態を、フロアーホッケー用の場合として説明すると、ストレートボード１とコーナーボード３は、適当な硬度と弾性を有すると共に、床面に設置してから簡単には動かないように適当な重量を必要とする安価な半硬質材を採用する。【００３１】  そこで、試作段階であるゆえに、高価な金型を用いずに成形できて、半硬質材である高密度発泡合成樹脂として汎用されているウレタン系樹脂を採用し、ストレートボード１の１本の長さを２ｍ程度とした。また、コーナーボード３は、重量を軽くするために、図３に見るような全体として一方向に湾曲したものとした。
なお、量産時には、金型を用い安価な他の適当な素材である半硬質材を採用してもよいことはいうまでもないことである。【００３２】  連結部２は、前述したように素材により凹凸形状を決めればよいが、一般的には図１と図３に見るような直方体形のような形にした。
なお、全部のストレートボード１とコーナーボード３を、その長さ方向に渡って上下を半分に色彩分けしたものとする方が好ましいことは「発明の効果」の欄で述べた。更に加えて、色彩だけでなく広告面としても利用できるようにすればよい。
【実施例１】
【００３３】  以下に述べる各実施例も、フロアーホッケー用として半硬質材の素材を、高密度発泡合成樹脂であるウレタン系樹脂製として説明する。
実施例１は、図１のストレートボード１として全長を２，０００ｍｍ、その内の連結部２の凹凸の長さはそれぞれ１００ｍｍとし、幅は２５０ｍｍで、連結部２の幅は中心部に１１０ｍｍとし、全高を１２０ｍｍとしたもので、１本当り３．２ｋｇの重量のものを１セット当り３６本製作した。【００３４】  コーナーボード３は、図３に示すものであって、ストレートボード１とは同じ幅と高さを有し、連結部２の凹凸も同じ寸法であり、かつ、内周の半径が７５０ｍｍで湾曲した長さが１／４径のものである。当然、連結するストレートボード１とは密接できるように成し、連結部２の凸部と凹部のある両辺の延長線は直交するようにしているもので、１本当りの重量が２．３ｋｇのものを１セット当り４本製作した。
【実施例２】
【００３５】  実施例２は、図２のストレートボード１のもので、同図では色彩の違いを表していないが、例えば上方半分を緑色、下方半分を桃色にした。着色手段としては、慣用手段である塗装でもよいし、又は上下半分に分けた大きさに成形した異なる着色の高密度発泡ウレタン系樹脂にて成形したものを、互いの一面同士を合せ、熱融着加工させてストレートボード１及びコーナーボード３を形成させた。勿論、適当な接着剤で貼り合せてもよい。
【実施例３】
【００３６】  実施例３としては、詳細記載を省略するが、ウレタン系樹脂の発泡度を変えたり、他の樹脂を採用したりして、ボード全体の硬度や重量を選定し、そのことに伴って連結部２の離反性を考慮する必要がある。したがって、前述したように、図５のような３例の連結部２のいずれかを採用すればよい。離反性の程度は、図５に図１の連結部２を菱形の次に加えると、４例となって、同図の下方ほど離反しやすくなるといえよう。
【実施例４】
【００３７】  実施例４としては、図６に示したコーナーボード３であり、外周側が直角状に突出した分だけ樹脂量を多く消費するが、少なくとも、本装置全体に４ヶ所ある角部だけでも固定させる意味で、４ヶ所だけを重くさせて、床面との摩擦を高めようとするためである。【００３８】  なお、図示省略したが、ストレートボード１及びコーナーボード３の表面に、波型凹凸を付けるブロファイル加工を実施するもよいし、床面との摩擦を高めるために、従来品にも見受けられるような断面がＬ形の脚板をストレートボード１の所々に付加することは、必要により実施すればよいことである。【００３９】  以上詳記のように、構造が極めて簡単なので、安価に提供できるから、身体障害者たちにも優しく安心して練習が出来るようになり、普及させやすく産業上有益な発明である。
【図面の簡単な説明】
【００４０】
【図１】この発明のストレートボードの実施例の斜視図である。（実施例１）
【図２】この発明のストレートボードの他の実施例の斜視図である。（実施例２）
【図３】この発明のコーナーボードの実施例の平面図である。（実施例１）
【図４】この発明の実施例にて組立てた状態を示す斜視図である。（実施例１）
【図５】この発明の連結手段の他の実施例３種を示す平面図である。（実施例３）
【図６】この発明のコーナーボードの他の実施例の平面図である。（実施例４）
【符号の説明】
【００４１】    １  ストレートボード
２  連結部
３  コーナーボード
【図１】
2010162316.tif 000003
【図２】
2010162316.tif 000004
【図３】
2010162316.tif 000005
【図４】
2010162316.tif 000006
【図５】
2010162316.tif 000007
【図６】
2010162316.tif 000008